【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
一部の領域を指定領域として指定された全体画像を表示する画像欄と、当該指定領域に関連付けられた注釈情報を表示する注釈欄とを１画面に含む出力画面情報を形成するためにコンピュータを、
種々の属性を有する注釈情報を前記指定された指定領域に関連付けを行う注釈付加手段、
前記注釈付加手段によって関連付けされた注釈情報の属性に応じて、前記画像欄に表示される前記指定領域の表示形式を異ならせて前記出力画面情報を形成する画像形成手段、として機能させるための画像形成プログラム。
【請求項２】
前記注釈付加手段が異なる対応付けを行うことができる注釈情報の属性は、前記注釈情報のファイルタイプの種類を含むことを特徴とする、請求項１に記載の画像形成プログラム。
【請求項３】
さらにコンピュータを、前記出力画面情報上において、前記注釈情報又は指定領域のいずれか一方を特定する特定手段として機能させ、
前記画像形成手段は、前記特定手段により特定がなされると、前記特定された情報と当該特定された情報に対応付けられた情報の双方の表示形式を変化させて前記出力画面情報を形成することを特徴とする、請求項１又は２に記載の画像形成プログラム。
【請求項４】
さらにコンピュータを、前記個々の注釈情報ごとに重要度情報を判定する重要度判定手段として機能させ、
前記画像形成手段は、前記重要度判定手段により判定された重要度情報に基づいて、前記注釈情報の表示形式を異ならせた前記出力画面情報を形成することを特徴とする、請求項１乃至３のいずれか１つに記載の画像形成プログラム。
【請求項５】
一部の領域を指定領域として指定された全体画像を表示する画像欄と、当該指定領域に関連付けられた注釈情報を表示する注釈欄とを１画面に含む出力画面情報を形成する画像形成装置であって、
種々の属性を有する注釈情報を前記指定された指定領域に関連付けを行う注釈付加手段と、
前記注釈付加手段によって関連付けされた注釈情報の属性に応じて、前記画像欄に表示される前記指定領域の表示形式を異ならせて前記出力画面情報を形成する画像形成手段とを備えたことを特徴とする画像形成装置。
【手続補正２】
【補正対象書類名】明細書
【補正対象項目名】０００１
【補正方法】変更
【補正の内容】
【０００１】
【発明の属する技術分野】
本発明は、コンピュータにより画像を形成する画像形成プログラム及び画像形成装置に関し、特に、インターネットなどにおいて画像の閲覧者から付されたコメントを含む画像を作成する画像形成プログラム及び画像形成装置に関する。
【手続補正３】
【補正対象書類名】明細書
【補正対象項目名】００１３
【補正方法】変更
【補正の内容】
【００１３】
画像形成手段は、注釈情報の属性に応じて、指定領域の表示形式を異ならせて、出力画面情報を形成する。指定領域の表示形式としては、領域を囲む枠線の色、線種、模様、太さ、指定領域内画像の変色、指定領域内を塗りつぶし、変色、模様を付すなどが例示される。
【手続補正４】
【補正対象書類名】明細書
【補正対象項目名】００１４
【補正方法】変更
【補正の内容】
【００１４】
上記構成によれば、関連付けされている注釈情報の属性に応じて、指定領域の出力形式が異なるため、出力画面を見た閲覧者がどのような属性を有する注釈情報が付されているかを判断しやすくすることができる。この場合、注釈情報の表示特性と指定領域の表示特性とを共通にすることにより、出力画面を見た閲覧者にとって、その対応をさらに理解しやすくすることができる。
【手続補正５】
【補正対象書類名】明細書
【補正対象項目名】００２３
【補正方法】変更
【補正の内容】
【００２３】
また、本発明は、一部の領域を指定領域として指定された全体画像を表示する画像欄と、当該指定領域に関連付けられた注釈情報を表示する注釈欄とを１画面に含む出力画面情報を形成する画像形成装置であって、種々の属性を有する注釈情報を前記指定された指定領域に関連付けを行う注釈付加手段と、前記注釈付加手段によって関連付けされた注釈情報の属性に応じて、前記画像欄に表示される前記指定領域の表示形式を異ならせて前記出力画面情報を形成する画像形成手段とを備えたことを特徴とする画像形成装置を提供する。
【手続補正６】
【補正対象書類名】明細書
【補正対象項目名】００２６
【補正方法】変更
【補正の内容】
【００２６】
記憶装置８は、以下の複数のプログラム及びデータベースを備えており、これらが適宜起動することによりｗｅｂサーバのプロセッサ７に以下に示す種々の機能を実行させる。システムプログラム８ａは、ｗｅｂサーバ１が画像作成装置として機能する場合の主な処理、演算を実行させるためのシステムプログラムである。ユーザーデータベース８ｂは、当該システムプログラム８ａを操作することができるユーザーを管理するためのデータベースである。画像データベース８ｃは、ｗｅｂサイト上に配する画像及び当該画像に付された注釈であるメタデータの管理を行うためのデータベースである。ｗｅｂデータ８ｄは、ｗｅｂサーバ１に配されるサイトに用いられるｗｅｂデータである。
【手続補正７】
【補正対象書類名】明細書
【補正対象項目名】００５１
【補正方法】変更
【補正の内容】
【００５１】
ユーザーがマウスなどのポインティングデバイスを操作し、コメント掲示板画面６０においてポインタ６１０を移動させて画像６１上でドラッグ（＃２４）すると、ドラッグの始点および終点を対角点（図１４においては、左上点Ｐ１及び右下点Ｐ２）とする入力候補の矩形マーク６１０を作成し、画像上に表示する。このときに表示される矩形マークは、点滅表示される。なお、すでに画像６１に未確定の矩形マーク（図示なし）が表示されている場合は、新たに画像上においてドラッグが開始されることにより、先に表示されている矩形マークは消去され、現在ドラッグされている矩形マークが作成、表示される。
【手続補正８】
【補正対象書類名】明細書
【補正対象項目名】００７５
【補正方法】変更
【補正の内容】
【００７５】
テキストコメントの閲覧においては、マウスポインタがリストボックスのテキストコメント上に移動すると、そのコメントに関連するオブジェクト（当該テキストコメント及び当該コメントの指定領域枠）が赤色に変色する（＃１５３）。マウスポインタをテキストコメントの外へ移動することなく（＃１５４のＮｏ）、マウスをクリックすると（＃１５５）、関連領域を抽出して、再生画面６１に拡大表示する（＃１５６）。マウスを再度クリック（＃１５７）すると、再生画面６１が全体画像に戻り（＃１５８）、テキストコメントの閲覧が終了する。
【手続補正９】
【補正対象書類名】明細書
【補正対象項目名】００７８
【補正方法】変更
【補正の内容】
【００７８】
リストボックス６２内の音声コメントのアイコン６２ｃは、音声コメントが再生された時間の割合の平均によって当該コメントの重要度が判定され、当該重要度に応じてリストボックス６２内のアイコンのデザインを変えて表示する。具体的には、（ユーザーが実際に再生した時間）／（コメントの録音時間）の平均で重要度を判定し、重要度が、０〜３３％未満、３３〜６６％未満、６６〜１００％の３段階に分けて、図１７に示すように３種類のアイコンを表示する。ユーザーは、アイコンデザインから、当該音声データを実際に再生することなく、事前にその重要度を判断でき、どの音声コメントから再生すればよいかの指標とすることができる。
【手続補正１０】
【補正対象書類名】明細書
【補正対象項目名】００７９
【補正方法】変更
【補正の内容】
【００７９】
マウスポインタが音声アイコン上に移動すると、関連オブジェクトである音声アイコン及び当該コメントの指定領域枠が赤色に変色する（＃２５３）。その後、当該音声データの再生が開始される（＃２５４）。マウスポインタを音声アイコン６２ｃの外へ移動することなく（＃２５５のＮｏ）、マウスをクリックすると（＃２５６）、関連領域を抽出して、再生画面６１に拡大表示する（＃２５７）。マウスを再度クリック（＃２５８）すると、再生画面６１が全体画像に戻り（＃２５９）、音声コメントの閲覧が終了する。
【手続補正１１】
【補正対象書類名】明細書
【補正対象項目名】００８３
【補正方法】変更
【補正の内容】
【００８３】
マウスポインタがビデオアイコン上に移動すると、関連オブジェクトであるビデオアイコン及び当該コメントの指定領域枠が赤色に変色する（＃３５３）。その後、当該ビデオデータの再生が開始される（＃３５４）。マウスポインタをビデオアイコン６２ｄの外へ移動することなく（＃３５５のＮｏ）、マウスをクリックすると（＃３５６）、関連領域を抽出して、再生画面６１に拡大表示する（＃３５７）。マウスを再度クリック（＃３５８）すると、再生画面６１が全体画像に戻り（＃３５９）、ビデオコメントの閲覧が終了する。
【手続補正１２】
【補正対象書類名】明細書
【補正対象項目名】００９４
【補正方法】変更
【補正の内容】
【００９４】
音声データ及びビデオデータの再生途中において、当該コメントの再生を中止したい場合は、そのままマウスをダブルクリックする（＃７８）と、次のコメントについて再生が開始される（＃７９）。また、音声データ及びビデオデータの再生途中において、そのままマウスをクリックすると、関連領域の画像を抽出して、再生画面６１に拡大表示する（＃８１）。マウスを再度クリック（＃８２）すると、再生画面６１が全体画像に戻り（＃８３）、コメントの閲覧が終了する。
【手続補正１３】
【補正対象書類名】明細書
【補正対象項目名】０１００
【補正方法】変更
【補正の内容】
【０１００】
音声データ及びビデオデータの再生途中において、当該コメントの再生を中止したい場合は、そのままマウスをダブルクリックすると、次のコメントについて再生が開始される。また、音声データ及びビデオデータの再生途中において、そのままマウスをクリックすると、関連領域の画像を抽出して、再生画面６１に拡大表示する。拡大表示される画像の範囲は、上述の通りバウンディングボックス６１２の範囲である。マウスを再度クリックすると、再生画面６１が全体画像に戻り、コメントの閲覧が終了する。